(57)【要約】【課題】高温蒸気に曝されることなく、信頼性が高く、かつ利便性のよい把手を有する加熱調理器を提供すること。【解決手段】把手８の回動範囲内で把手８を手放したとき、把手８が蒸気に曝される位置では自重により回動してその位置に止まらないようにし、蒸気に曝されない位置では手放すとその位置で止まる構成とした。これにより、把手８が熱的劣化する事がなく、かつ把手８をつかみやすい利便性のよいものにすることができる。【選択図】  図１
2004166866.tif 000002
【特許請求の範囲】
【請求項１】
加熱室を内蔵した本体と、前記加熱室内に収納する被加熱物と、前記被加熱物を加熱する加熱手段と、前記加熱室に設けた排気口と、前記本体に回動自在に設けた把手とを備え、前記把手は回動範囲内の特定の範囲で停止不可能となるとともに、前記特定の範囲以外では任意の位置で停止可能になるように構成した加熱調理器。
【請求項２】
特定の範囲は把手が蒸気に実質的に曝される範囲であることを特徴とした請求項１記載の加熱調理器。
【請求項３】
本体には略円形の孔を形成し、把手の取り付け部は略円柱形のボスを形成し、このボスを前記本体の孔に挿入することにより把手を本体に係合するとともに、前記本体の孔に凹部を、前記ボスに凸部を設けることにより、前記把手が排気口から排気される蒸気に実質的に曝される範囲では止まらず、その他の可動範囲では把手と本体との係合部の摺動摩擦抵抗により止まる構成した請求項２記載の加熱調理器。
【請求項４】
本体には略円形の孔を形成し、把手の取り付け部は略円柱形のボスを形成し、このボスを前記本体の孔に挿入することにより把手を本体に係合するとともに、前記本体の孔に凸部を、前記ボスに凹部を設けることにより、前記把手が排気口から排気される蒸気に実質的に曝される範囲では止まらず、その他の可動範囲では把手と本体との係合部の摺動摩擦抵抗により止まる構成した請求項２記載の加熱調理器。
【請求項５】
加熱室を内蔵した本体と、前記加熱室内に収納する被加熱物と、前記被加熱物を加熱する加熱手段と、前記加熱室に設けた排気口と、前記本体に回動自在に設けた把手とを備え、前記把手の可動範囲は、前記把手が排気口から排気される蒸気に実質的に曝されない範囲であることを特徴とした加熱調理器。
【発明の詳細な説明】
【０００１】
【発明の属する技術分野】
本発明は、自動製パン機、電気湯沸かし器および炊飯器などの蒸気を発生する加熱調理器の把手の構成に関する。
【０００２】
【従来の技術】
従来この種の加熱調理器における回動式の本体把手は、本体の係合部との摺動摩擦抵抗と把手の自重のバランスにより自重回動する場合としない場合とがあった（例えば、特許文献１参照）。
【０００３】
【特許文献１】
特開２０００−３７３０８号公報
【０００４】
【発明が解決しようとする課題】
しかしながら、把手が自重回動する場合、使用者が把手を離すと把手は自重回動して倒れ、本体の側面または上面で静止する構成となっているため、収納時は嵩張らず便利であるが、移動頻度が多い場合は把手をつかみ難く利便性の悪いものであった。そこで、本体に凹部を設け掴みやすくしたものもあるが、凹部を設けるために本体の内部の構成が制約されてしまうという問題があった。
【０００５】
また、把手が自重回動しないようにした場合、使用者が把手を離すとその位置で把手が止まってしまうため不具合が生じてしまうことがあった。例えば、把手が高温の空気や蒸気に曝される加熱調理器の排気口の上方の位置にあると、把手が高温となって構成材料が劣化したり、変形したりするという信頼性上の問題があった。また、使用者が不用意に高温の把手を握ってしまい慌てて離すというように必ずしも利便性の良いものではなかった。
【０００６】
本発明は、前記従来の課題を解決するもので、蒸気に曝されることがないため信頼性が高く、かつ利便性の良い把手を有する加熱調理器を提供することを目的とする。
【０００７】
【課題を解決するための手段】
前記従来の課題を解決するために、本発明の加熱調理器は、本体に回動自在に設けた把手を有し、前記把手は回動範囲内の特定の範囲で停止不可能となるとともに、前記特定の範囲以外では任意の位置で停止可能になるように構成した。この構成により、把手の回動範囲内の特定の範囲では把手を手放しても自重によりその範囲での停止不可能となるようにするとともに、前記特定の範囲以外では任意の位置で把手を手放しても摺動摩擦抵抗によりその位置に停止可能になるようにすることができる。したがって、例えば、排気口より排出する蒸気の通路に把手が停止し高温の蒸気に曝される事がないようにすることができる。
【０００８】
【発明の実施の形態】
請求項１に記載の発明は、加熱室を内蔵した本体と、前記加熱室内に載置する被加熱物と、前記被加熱物を加熱する加熱手段と、前記加熱室に設けた排気口と、前記本体に回動自在に設けた把手とを備え、前記把手は回動範囲内の特定の範囲で停止不可能となるとともに、前記特定の範囲以外では任意の位置で停止可能になるように構成した。この構成により、把手を手放したとき把手は特定の範囲以外の回動範囲内に停止するため、再び把手を掴むときつかみやすく利便性のよいものとなる。また、例えば蒸気の排気路などに把手を停止しないようにすることができるため、把手が熱の影響を受け難くなり信頼性を向上することができる。
【０００９】
請求項２に記載の発明は、特に、請求項１に記載の特定の範囲を把手が蒸気に実質的に曝される範囲にすることにより、把手が高温の空気や蒸気に曝されないようにすることができるため、把手が高温となって構成材料が劣化したり、変形したりすることがなく信頼性が向上する。また、使用者が不用意に高温の把手を握ってしまうというような事もなくなり、使い勝手がよくなる。
【００１０】
請求項３に記載の発明は、特に、請求項１に記載の構成において、本体には略円形の孔を形成し、把手の取り付け部は略円柱形のボスを形成し、このボスを前記本体の孔に挿入することにより把手を本体に係合するとともに、前記本体の孔に凹部を、前記ボスに凸部を設けることにより、前記把手が排気口から排気される蒸気に実質的に曝される範囲では止まらず、その他の可動範囲では把手と本体との係合部の摺動摩擦抵抗により止まる構成した。この構成により、把手が高温の蒸気に曝されないため、把手が高温となって構成材料が劣化したり、変形したりすることがなく信頼性が向上する。また、使用者は不快感を抱くことなく把手を持つことができる。
【００１１】
請求項４に記載の発明は、特に、請求項１に記載の構成において、本体には略円形の孔を形成し、把手の取り付け部は略円柱形のボスを形成し、このボスを前記本体の孔に挿入することにより把手を本体に係合するとともに、前記本体の孔に凸部を、前記ボスに凹部を設けることにより、前記把手が排気口から排気される蒸気に実質的に曝される範囲では止まらず、その他の可動範囲では把手と本体との係合部の摺動摩擦抵抗により止まる構成した。この構成により、把手が高温の蒸気に曝されないため、把手が高温となって構成材料が劣化したり、変形したりすることがなく信頼性が向上する。また、使用者は不快感を抱くことなく把手を持つことができる。
【００１２】
請求項５に記載の発明は、加熱室を内蔵した本体と、前記加熱室内に収納する被加熱物と、前記被加熱物を加熱する加熱手段と、前記加熱室に設けた排気口と、前記本体に回動自在に設けた把手とを備え、前記把手の可動範囲は、前記把手が排気口から排気される蒸気に実質的に曝されない範囲とすることにより、把手が高温の蒸気に曝されないため、把手が高温となって構成材料が劣化したり、変形したりすることがなく信頼性が向上する。また、使用者は不快感を抱くことなく把手を持つことができる。
【００１３】
【実施例】
以下、本発明の実施例について、図面を参照しながら説明する。
【００１４】
（実施例１）
図１は本発明の実施例１における加熱調理器としての自動製パン機の断面図であり、図２は同自動製パン機の係合部の構成を説明するための模式図、図３は同自動製パン機の係合部の要部断面図である。図において、本体１内の加熱室である焼成室２には被加熱物としてのパン生地３およびそのパン生地３を収容する焼き型４が収納されている。そして、この焼き型は本体１に設けられた加熱手段であるヒータ５の間に置かれている。６は焼成室２を上方から開閉自在に覆う蓋である。７は焼成室２と外部とを通じる排気口である。８は本体１に回動自在に取り付けた把手で、その回動範囲は本体の一方の上面または側面からほぼ１８０°回転させた他方の上面または側面に接するまでの範囲である。
【００１５】
そして、本体１と把手８とは係合部９で係合し一体としている。係合部９の構成としては、本体１の係合部分に略円形の孔１０を形成し、把手８の係合部分に略円柱状のボス１１形成しており、このボス１１を孔１０に挿入する事により本体１と把手８とを係合するとともに、孔１０に凹部１２を、ボス１１に凸部１３を設けることにより把手８の握り部１４は排気口７の上方では止まらず、そのため、把手８が蒸気に曝されないようになっている。
【００１６】
以上のように構成された自動製パン機について、以下動作作用を説明する。
【００１７】
ヒータが通電されると焼成室２内のパン生地３は焼かれてパンとなる。その過程で焼成室２内で発生する高温の水蒸気が排気口７から外部に放出される。排気口７の上部に把手８が位置していると、この高温の水蒸気に把手が曝されることになる。したがって、その材料の熱劣化や水蒸気による劣化で機械的強度の低下や熱変形が起きたりする。また、使用者が誤って高温になった把手８の握り部１４を持ち熱いので手放してしまうという不快感を味わったりする事があった。
【００１８】
しかしながら、本実施例では本体１と把手８とを係合部９で把手８のボス１１を本体の孔１９に挿入することにより係合するとともに、孔１０に凹部１２を、ボス１１に凸部１３を設けることにより、把手８の握り部１４は排気口７の上方では止まらないようになっているので、把手８は実質的には蒸気に曝されることがないため、損傷し難くなり安全性を確保することができる。ここでいう実質的とは排気口７より排出された蒸気はある角度をもって空気中を拡散していく、したがって、蒸気が把手８に当たる範囲は排気口７の巾よりも広い巾の範囲となり、明確に範囲を規定する事は不可能である。そこで、本発明では蒸気が把手８に当たる事により問題となる範囲を特定し、この範囲を把手８が蒸気に実質的に曝される特定の範囲とした。
【００１９】
以下、この特定の範囲について説明する。把手８の蒸気の当たる範囲では一様に蒸気が当たるのではなく、範囲の中心部は当たる蒸気の密度が高く、中心部から離れるにしたがってその密度は低下する。したがって、把手８の蒸気の当たる範囲の中で温度は蒸気密度の高い中央部は高く、中央部から離れるにしたがって温度は低下していく。問題となる温度範囲を特定する事は困難であるが、種々の実験および体験より１つの目途として把手８の温度が６０℃、好ましくは４０℃を超える範囲を特定の範囲とするのが実用的である。勿論この範囲に限定されるものではなく、例えば、把手８の材質やその構成によりその範囲は異なる。要は、本実施例の主旨にかなう信頼性および安全性より特定の範囲を決めれば良い。
【００２０】
また、把手８が排気口７上方の位置以外、すなわち、特定の範囲以外にあるときは、孔１０とボス１１および凸部１３の摺動摩擦抵抗により把手８は自重回動しないようにしている。したがって、使用者が把手８から手を離しても把手がパタンと倒れる事はない。
【００２１】
なお、本実施例の孔１０の凹部１２を凸形状に、ボス１１の凸部１３を凹形状にと逆の構成としても同様の効果が得られることは明らかである。
【００２２】
以上述べたように、本実施例によれば把手が蒸気に曝されないためその温度が高くならないので、把手の信頼性および持ったときの安全性を確保することができる。また、把手が蒸気に曝される範囲以外では、把手を手放した位置で把手が止まるので、再び把手を持つとき掴みやすく利便性のよいものにすることができる。
【００２３】
（実施例２）
図４は本発明の実施例２における加熱調理器としての自動製パン機の断面図であり、図５は同自動製パン機の係合部の要部断面図である。なお、本実施例の基本構成は実施例１と同じなので異なる点を中心に説明する。また、実施例１と同じ機能には同じ符号を付しその説明は省略する。
【００２４】
本実施例が実施例と異なる点は、実施例１の把手がほぼ１８０°回動したのに対して本実施例の把手は図４に示すように１８０°より狭い角度であるΘしか回動しないようにした点である。このような構成にすることにより、把手が排気口から排出される蒸気に曝されるところまで回動しないようにすることができる。すなわち、回動の範囲を本体１の上面または側面から排気口の手前までとした事を特徴としている。このような構成は図５に示すように係合部９において本体１の係合部分の孔１５に把手８の係合部分のボス１６を挿入し、把手８を回動させたとき孔１５に設けた凸部１７にボスに設けた凸部１８が当たりそれ以上回動しないようにすることにより容易に得られる。
【００２５】
また、回動範囲においては把手８を離したとき、把手８が実施例１と同様に摺動摩擦抵抗により回動しないようにすれば良い。
【００２６】
このようにすることにより把手が高温に成るのを防ぐことができ、実施例１と同様の効果を得ることができる。
【００２７】
なお、以上の説明では自動製パン機について説明したがこれに限定されるものではなく、加熱中に蒸気が排出される電気湯沸かし器や炊飯器などの加熱調理器の把手の構成にも用いられるのは勿論である。
【００２８】
【発明の効果】
以上のように、請求項１〜５に記載の発明によれば、蒸気に曝されることがないので信頼性が高く、かつ利便性の良い把手を有する加熱調理器を提供することができる。
【図面の簡単な説明】
【図１】本発明の実施例１における加熱調理器としての自動製パン機の断面図
【図２】同自動製パン機の係合部の構成を説明するための模式図
【図３】同自動製パン機の係合部の要部断面図
【図４】本発明の実施例２における加熱調理器としての自動製パン機の断面図
【図５】同自動製パン機の係合部の要部断面図
【符号の説明】
１  本体
２  焼成室（加熱室）
３  パン生地（被加熱物）
４  焼成室
５  ヒータ（加熱手段）
７  排気口
８  把手
９  係合部
１０  孔
１１  ボス
１２  凹部
１３  凸部
【図１】
2004166866.tif 000003
【図２】
2004166866.tif 000004
【図３】
2004166866.tif 000005
【図４】
2004166866.tif 000006
【図５】
2004166866.tif 000007